(57)【要約】【課題】複数の目的地を周遊するような場合に、最適なルートで巡ることができるような情報を容易に得る【解決手段】情報コードは、複数の目的地を順に巡るルートが表示された地図表示領域の周囲に推奨コースのサービスＩＤ等を格納したデータ領域を有している。通信端末装置２においては、カメラ４が情報コードを読取ると、情報コード解読部１０によりデコードが行われ、推奨コースのサービスＩＤの情報等が抽出され、サーバ３との通信により、推奨コース情報の情報が取得される。表示装置８に、地図上に、目的地の位置、巡る順序、ルートが表示された推奨コース画面が表示される。推奨コース画面においてユーザが目的地を指定して、サーバ３から当該目的地の施設詳細情報を取得することもできる。【選択図】図１
2018013840.tif 000002
【特許請求の範囲】
【請求項１】
読取手段（４）により読取り可能に構成され、情報提供者によって印刷物等に掲載される或いはデジタルデバイスの表示画面上に表示される地図案内用の情報コード（Ｑ）であって、
複数の目的地を周遊する際のそれら複数目的地及び／又はそれらを順に巡るルートを地図上に表示した地図表示領域（Ｍ）と、
前記読取手段（４）にて読取られることに基づき、前記複数目的地の位置情報及び施設詳細情報を含む推奨コース情報を取得することを可能とするためのサービスＩＤの情報を格納したデータ領域（Ｄ）とを備えることを特徴とする情報コード。
【請求項２】
前記地図表示領域（Ｍ）は中央部に設けられ、前記データ領域（Ｄ）は、前記地図表示領域（Ｍ）の周囲にフレーム状に設けられていることを特徴とする請求項１記載の情報コード。
【請求項３】
前記データ領域（Ｄ）は、ＱＲコード（登録商標）から構成されていることを特徴とする請求項１又は２記載の情報コード。
【請求項４】
情報コード（Ｑ）の読取りが可能な読取手段（４）を備えた通信端末装置（２）と、前記通信端末装置（２）と通信可能なサーバ（３）とを備えた情報取得システム（１、２１）であって、
前記サーバ（３）は、サービスＩＤに関連付けて、複数の目的地を周遊する際のそれら複数目的地の位置情報及び施設詳細情報を含む推奨コース情報を記憶したデータベース（１３）を有しており、
前記通信端末装置（２）は、前記読取手段（４）により、請求項１から３のいずれか一項に記載の情報コード（Ｑ）のデータ領域（Ｄ）を読取ることに基づき、前記サーバ（３）から前記推奨コース情報を取得する情報取得手段（５）と、
前記情報取得手段（５）が取得した情報に基づいて前記複数目的地の地図上の位置及び施設詳細情報を表示可能な表示手段（８）とを備えることを特徴とする情報取得システム。
【請求項５】
前記データベース（１３）の推奨コース情報には、前記複数の目的地を周遊する際の複数目的地の順序の情報が含まれていることを特徴とする請求項４記載の情報取得システム。
【請求項６】
前記情報取得手段（５）は、ユーザの指定操作に基づいて、指定された目的地に関する施設詳細情報を前記サーバ（３）から取得することを特徴とする請求項４又は５記載の情報取得システム。
【請求項７】
前記通信端末装置（２）は、ナビゲーション装置（２２）と接続可能に構成され、前記ナビゲーション装置（２２）は、前記複数の目的地を周遊する際のルート案内を行うことが可能に構成されていることを特徴とする請求項４から６のいずれか一項に記載の情報取得システム。
【発明の詳細な説明】
【技術分野】
【０００１】
本発明は、読取手段により読取り可能に構成された地図案内用の情報コード、及びその情報コードを利用した情報取得システムに関する。
【背景技術】
【０００２】
従来より、情報コードとしての例えばＱＲコード（登録商標）を用いたサービスとして、Ｇｏｏｇｌｅマップと連携して目的地となる地点情報を提供する地図案内用のマップＱＲと称されるサービスが知られている。このマップＱＲのサービスでは、ＱＲコードにＧｏｏｇｌｅマップＵＲＬのデータが含まれており、例えば紙媒体等に掲示（表示）されたＱＲコードを、ユーザがスマートフォンのカメラを用いて読み取ると、スマートフォンの表示画面において、目的地周辺の地図上に目的地を表示することができる。
【０００３】
ところで、ユーザが行きたい或いは知りたい場所が１箇所である場合には、従来のマップＱＲのシステムで事足りるものの、ユーザが複数箇所の目的地を周遊したいといったケースもある。そこで、特許文献１には、それぞれ異なる目的地の情報を記憶した複数個のＱＲコードを順に読み込むことにより、複数の目的地を、読み込んだ順番に巡るようなルート設定を行うようにした技術が開示されている。
【先行技術文献】
【特許文献】
【０００４】
【特許文献１】特開２０１６−８５６１５号公報
【発明の概要】
【発明が解決しようとする課題】
【０００５】
しかしながら、上記の技術では、目的地の情報を含んだ地図案内用の複数のＱＲコードを、巡る順序通りに読み込む必要があるが、ユーザは、複数の目的地同士の位置関係がわからず、どの順序が最適であるかといったことを判断できないのが実情である。
【０００６】
本発明は上記した事情に鑑みてなされたもので、その目的は、複数の目的地を周遊するような場合に、最適なルートで巡ることができるような情報を容易に得ることが可能な情報コード及び情報取得システムを提供するにある。
【課題を解決するための手段】
【０００７】
上記目的を達成するために、本発明の情報コード（Ｑ）は、読取手段（４）により読取り可能に構成され、情報提供者によって印刷物等に掲載される或いはデジタルデバイスの表示画面上に表示される地図案内用の情報コード（Ｑ）であって、複数の目的地を周遊する際のそれら複数目的地及び／又はそれらを順に巡るルートを地図上に表示した地図表示領域（Ｍ）と、前記読取手段（４）にて読取られることに基づき、前記複数目的地の位置情報及び施設詳細情報を含む推奨コース情報を取得することを可能とするためのサービスＩＤの情報を格納したデータ領域（Ｄ）とを備えるところに特徴を有する（請求項１の発明）。
【０００８】
本発明の情報コード（Ｑ）によれば、地図表示領域（Ｍ）が設けられていることにより、ユーザは、情報コード（Ｑ）の地図表示領域（Ｍ）を見ることによって、複数の目的地が存在すること、並びに、それら目的地の位置関係、及び／又は、順に巡るルートを容易に知ることができる。そして、情報コード（Ｑ）のデータ領域（Ｄ）に対し、読取手段（４）による読取りを行うことにより、複数目的地の位置情報及び施設詳細情報を含む推奨コース情報を取得することが可能になる。従って、複数の目的地を周遊するような場合に、最適なルートで巡ることができるような情報を容易に得ることが可能となる。
【０００９】
また、本発明の情報取得システム（１）は、情報コード（Ｑ）の読取りが可能な読取手段（４）を備えた通信端末装置（２）と、前記通信端末装置（２）と通信可能なサーバ（３）とを備えたものであって、前記サーバ（３）は、サービスＩＤに関連付けて、複数の目的地を周遊する際のそれら複数目的地の位置情報及び施設詳細情報を含む推奨コース情報を記憶したデータベース（１３）を有しており、前記通信端末装置（２）は、前記読取手段（４）により、請求項１から３のいずれか一項に記載の情報コード（Ｑ）のデータ領域（Ｄ）を読取ることに基づき、前記サーバ（３）から前記推奨コース情報を取得する情報取得手段（５）と、前記情報取得手段（５）が取得した情報に基づいて前記複数目的地の地図上の位置及び施設詳細情報を表示可能な表示手段（８）とを備えるところに特徴を有する（請求項４の発明）。
【００１０】
これによれば、通信端末装置（２）は、読取手段（４）により、情報コード（Ｑ）のデータ領域（Ｄ）の読取りを行うことに基づき、情報取得手段（５）により、サーバ（３）から複数の目的地を周遊する際の複数目的地の位置情報及び施設詳細情報を含む推奨コース情報を取得することができる。このとき、読取手段（４）による読取りを行う際に、ユーザは、情報コード（Ｑ）の地図表示領域（Ｍ）を見ることによって、データ領域（Ｄ）の読取りによって、どのような地域の推奨コース情報が得られるかを、容易に認知することができる。
【００１１】
そして、情報取得手段（５）が取得した情報に基づいて、表示手段（８）により、複数目的地の地図上の位置及び施設詳細情報を表示することにより、ユーザに対し複数の目的地を周遊する際の位置やルート、各目的地の施設詳細情報を提供することができる。従って、通信端末装置（２）のユーザは、複数の目的地を周遊するような場合に、最適なルートで巡ることができるような情報を容易に得ることが可能となる。
【図面の簡単な説明】
【００１２】
【図１】本発明の第１の実施形態を示すもので、情報取得システムの全体構成を概略的に示すブロック図
【図２】情報コードが掲載される媒体を示す図（ａ）、及び、そのうち情報コード部分を拡大して示す図（ｂ）
【図３】読取り時の推奨コース画面の例（ａ）、及び、指示操作を行った場合の施設詳細情報表示画面の例（ｂ）を示す図
【図４】システムにおける処理の流れを示すシーケンス図
【図５】データベースの推奨コース情報のデータ構成を模式的に示す図
【図６】異なる２つの情報コードを示す図
【図７】第２の実施形態を示すもので、情報取得システムの全体構成を概略的に示すブロック図
【図８】システムにおける処理の流れを示すシーケンス図
【発明を実施するための形態】
【００１３】
（１）第１の実施形態
以下、本発明を具体化した第１の実施形態について、図１から図５を参照しながら説明する。まず、図１は、本実施形態に係る情報取得システム１の全体構成を概略的に示しており、この情報取得システム１は、通信端末装置２と、サーバ３とを有し、両者がインターネットを含む通信ネットワークを介してデータ通信可能に構成されている。本実施形態では、通信端末装置２として所謂スマートフォンを想定しており、不特定多数の通信端末装置２がサーバ３にアクセス可能とされている。
【００１４】
前記通信端末装置２は、カメラ４、制御部５、ユーザインタフェース部６、メモリ７、表示装置８、通信部９等を備えている。前記カメラ４は、周知のＣＣＤイメージセンサ或いはＣＭＯＳイメージセンサを含んで構成されており、ユーザの撮影指示操作に基づいて制御部５から撮像指令信号を入力すると、撮像動作を行い、撮像して取得した画像を制御部５に出力する。本実施形態では、このカメラ４が、後述する地図案内用の情報コードＱ（図２参照）を読取る読取手段としても機能する。
【００１５】
前記制御部５は、ＣＰＵ、ＲＯＭ、ＲＡＭ及びＩ／Ｏを有するコンピュータを主体として構成されている。前記メモリ８は、例えば半導体記憶素子等により構成されており、コンピュータプログラムを記憶している。制御部５は、メモリ８に記憶されているコンピュータプログラムを実行し、通信端末装置２の動作全般を制御する。このとき、制御部５は、そのソフトウエア的構成により、情報コード解読部１０、地点情報抽出処理部１１、地図表示用フォーマット変換部１２としての機能を実現する。
【００１６】
前記ユーザインタフェース部６は、例えば表示装置８の画面に形成されるタッチパネルや機械的なスイッチ等により構成されており、ユーザからの操作を受付けると、その操作内容を示す操作検知信号を制御部５に出力する。表示装置８は、例えば液晶パネルや有機ＥＬパネル等により構成されており、制御部５から表示指令信号を入力すると、その入力した表示指令信号により指定される画面を表示する。この場合、後述するように、表示装置８は、推奨コース画面や施設詳細情報等を表示する表示手段として機能する。
【００１７】
前記通信部９は、サーバ３との間での通信ネットワークを介したデータ通信を制御する。この場合、後述するように、通信部９は、サーバ３から複数目的地の位置情報及び施設詳細情報を取得するようになっており、制御部５と共に情報を取得する情報取得手段を構成する。尚、通信端末装置２は、これらの機能の他に、ユーザが発した音声を送話音声として入力する機能、通話相手から通信ネットワークを介して受信した音声を受話音声として出力する機能、電話帳データを記憶する機能等の電話に関する様々な周知の機能を有している。
【００１８】
これに対し、前記サーバ３は、詳しく図示はしないが、コンピュータを主体として構成され全体を制御する制御部や、通信端末装置２との間で通信ネットワークを介したデータ通信を行う通信部を備えている。これと共に、サーバ３は、各種情報を記憶するデータベース１３を備えている。本実施形態では、データベース１３には、図５に例示するような、推奨コース情報が多数記憶されている。この推奨コース情報は、各地域例えば観光地等における、比較的近距離に存在する複数の施設等の目的地を順に巡る（周遊する）場合の、情報提供者側が推奨する複数目的地の組合せ及びルート（順序）、各目的地の施設詳細情報のデータを含んでいる。
【００１９】
具体的には、この推奨コース情報は、例えば図５に示すように、目的地の地点ＩＤ、シリアルナンバー、巡る際の順序、地点（施設）名称、緯度、経度の情報、施設詳細情報といった地点情報の集合から構成される。前記シリアルナンバーは、推奨コース情報毎に付与されるナンバーであり、後述する情報コードＱのサービスＩＤの情報と一致している、あるいは一対一で関連付けられている。つまり、同一の推奨コースに属する複数の地点情報には、同一のシリアルナンバーが付されている。
【００２０】
ここで、本実施形態に係る地図案内用の情報コードＱについて、図２を参照しながら述べる。本実施形態では、図２（ｂ）に示すように、情報コードＱは、フレームＱＲ（登録商標）と称される自由に使えるキャンパス領域を有したＱＲコードを採用している。即ち、情報コードＱは、全体として四角形（正方形）の領域に対し、中央部に地図表示領域Ｍを有し、その周囲にフレーム状にデータ領域Ｄを有している。地図表示領域Ｍにおいては、地図に重ね合わせて、推奨コースを周遊する際の、複数の目的地及び／又はそれらを順に巡るルートが、ユーザにより視認可能な状態に表示されている。データ領域Ｄには、３個の切出しシンボル及びデータセルが設けられ、データセル部分には、前記推奨コースのサービスＩＤやサーバ３のＵＲＬの情報等が格納されている。
【００２１】
図２（ａ）は、雑誌やガイドブック、ポスターなどの印刷物Ｇに、情報提供者の推奨するお勧めコースが掲載されている様子を示しており、見出し、地図、各目的地（施設）の説明等が掲載されるとともに、地図部分に、情報コードＱが印刷されている。図２（ｂ）は、情報コードＱを拡大して示すものであり、地図表示領域Ｍには、該当する推奨コースの地図上に、７個の目的地（円で示す）とそれらを順に巡るルート（太線で示す）とが表示されている。そして、後述するように、通信端末装置２により情報コードＱのデータ領域Ｄ部分を読取ることにより、サーバ３から推奨コース情報即ち複数目的地の位置情報及び施設詳細情報を取得することができる。
【００２２】
さて、通信端末装置２の制御部５においては、カメラ４が情報コードＱを読取ると、前記情報コード解読部１０により、データ領域Ｄの撮影画像からデコード処理が行われる。デコードが行われると、前記地点情報抽出処理部１１は、デコードデータから推奨コースのサービスＩＤの情報等を抽出し、通信部９によりサーバ３との通信を行わせるようになっている。この場合、サーバ３に対してサービスＩＤ即ちシリアルナンバーを送信することにより、推奨コース情報の指定（特定）が行われる。
【００２３】
そして、通信部９によりサーバ３から推奨コース情報を取得すると、前記地図表示用フォーマット変換部１２は、地図データのフォーマットを表示装置８において表示可能な状態に変換して、表示装置８に推奨コース画面の画像を表示させる（図３（ａ）参照）。この推奨コース画面では、地図上に、目的地の位置、巡る順序、ルートが表示される。また、この推奨コース画面においてユーザが目的地のうち一つを指定する操作を行うことにより、サーバ３から当該目的地の施設詳細情報が取得され、表示装置８に表示されるようになっている（図３（ｂ）参照）。これにて、制御部５及び表示装置８等から、表示手段が構成されている。
【００２４】
次に、上記構成の作用について、図３、図４も参照して説明する。図２（ａ）に示すように、地図表示領域Ｍ及びデータ領域Ｄを有する地図案内用の情報コードＱは、例えばガイドブックＧなどの媒体において、ある地域で複数個所を周遊する推奨コースが掲載されている場合に、推奨コースの説明と合わせて付される。ユーザがその推奨コースに興味を持った（行きたい或いは知りたい）ときには、通信端末装置２のカメラ４により情報コードＱの読取りを行う。
【００２５】
この場合、図２（ｂ）に示すように、情報コードＱには、地図表示領域Ｍが設けられているので、ユーザは、情報コードＱの地図表示領域Ｍを見れば、推奨コースに複数の目的地が存在すること、並びに、それら目的地の位置関係、更にはそれら目的地を順に巡るルートを容易に知ることができる。従って、ユーザは、複数の目的地を順に巡る推奨コース情報に関する読取りを行うことを理解しながら、通信端末装置２を操作して情報コードＱの読取りを行うことができる。
【００２６】
図４のシーケンス図は、情報コードＱの読取りが行われた際の、通信端末装置２及びサーバ３における、相互の通信を含む処理の手順を示している。即ち、通信端末装置２においては、情報コードＱの読取りが行われると（処理Ａ１）、情報コードＱ（データ領域Ｄ）のデコード処理が行われ、サービスＩＤ（シリアルナンバーと一致）等の情報が抽出される（処理Ａ２）。引続き、通信端末装置２からサーバ３に対し、サービスＩＤ即ちシリアルナンバーを指定して推奨コース情報の要求信号が送信される（通信Ｓ１）。
【００２７】
推奨コース情報の要求を受けると、サーバ３においては、データベース１３から、送信されたシリアルナンバー（サービスＩＤ）に紐付けられた地点情報この場合７つの目的地の地点情報が抽出される（処理Ｂ１）。次いで、サーバ３においては、取得した全地点（目的地）を指定された順序で巡るための最適なルートが計算される（処理Ｂ２）。すると、最適なルート情報を含んだ推奨コース情報が、サーバ３から通信端末装置２に対し送信される（通信Ｓ２）。
【００２８】
通信端末装置２は、サーバ３から推奨コース情報を受信すると、表示装置８の画面に、推奨コース画面の画像を表示させる（処理Ａ３）。図３（ａ）に例示するように、推奨コース画面では、地図上に、目的地の位置が巡る順序を示す数字と共に表示され、それら目的地を順に巡るための最適なルートが表示される。ユーザは、推奨コース画面を見て、表示されている複数の目的地のうち、特定の目的地の詳細施設情報を見たい場合には、その目的地を指定する操作を行う。すると、サーバ３に対し、該当する目的地の施設詳細情報の要求信号が送信される（通信Ｓ３）。
【００２９】
サーバ３は、施設詳細情報の要求を受けると、指定された地点の施設詳細情報をデータベース１３から取得し（処理Ｂ３）、通信端末装置２に対し、その施設詳細情報を送信する（通信Ｓ４）。通信端末装置２においては、サーバ３から取得した施設詳細情報が、表示装置８の画面に表示される（処理Ａ４）。図３（ｂ）は、例えば「株式会社デンソー」の施設詳細情報が表示装置８に表示された状態を例示しており、ユーザは、該当する目的地の施設詳細情報を知ることができる。尚、この施設詳細情報の表示画面では、「前の地点」、「次の地点」のボタンが表示され、ユーザがそのボタンを操作することにより、前又は次の目的地の施設詳細情報を得ることができる。
【００３０】
このように本実施形態によれば、次のような効果を得ることができる。即ち、本実施形態の情報取得システム１においては、通信端末装置２のカメラ４により、情報コードＱ（データ領域Ｄ）の読取りを行うことに基づき、サーバ３から複数の目的地を周遊する際の複数目的地の位置情報及び施設詳細情報を含む推奨コース情報を容易に取得することができる。このとき、情報コードＱの読取りを行う際に、ユーザは、情報コードＱの地図表示領域Ｍを見ることによって、読取りによってどのような地域の推奨コース情報が得られるかを、容易に認知することができる。
【００３１】
そして、通信端末装置２においては、サーバ３から推奨コース情報を取得することに基づいて、表示装置８に推奨コース画面が表示されることにより、ユーザに対し、複数の目的地を周遊する際の各目的地の位置やそれらを巡るルートの情報を提供することができる。従って、通信端末装置２のユーザが、複数の目的地を周遊するような場合に、最適なルートで巡ることができるような情報を容易に得ることが可能となる。
【００３２】
このとき、本実施形態では、推奨コース情報には、複数の目的地を周遊する際の複数目的地の順序の情報が含まれているので、複数目的地を順に巡る際の最適な順序をユーザに対し提供することが可能となる。また特に本実施形態では、ユーザの指定操作に基づいて、指定された目的地に関する施設詳細情報をサーバ３から容易に取得して表示装置８の画面に表示することができるので、ユーザが興味を持った目的地に関する施設詳細情報を、必要に応じて得ることができる。
【００３３】
更に、本実施形態の情報コードＱでは、地図表示領域Ｍを中央部に設け、前記データ領域Ｄを、地図表示領域Ｍの周囲にフレーム状に設ける構成としたので、地図表示領域Ｍを大きく判りやすく表示することが可能となる。また、データ領域Ｄを、ＱＲコード（登録商標）から構成するようにしたので、読取り速度の速さ、読取りの正確性、面積に対し大きなデータ量を得ることができる等の、ＱＲコードが本来的に持つメリットを得ることができることは勿論である。
【００３４】
（２）第２の実施形態、その他の実施形態
図６（ａ）、（ｂ）は、情報コードの変形例を夫々示しており、上記第１の実施形態で述べた情報コードＱと異なるところは、次の点にある。即ち、図６（ａ）に示す情報コードＱ１は、全体として四角形（正方形）の領域に対し、中央部に地図表示領域Ｍ１を有し、その周囲にフレーム状にデータ領域Ｄを有している。地図表示領域Ｍ１においては、地図に重ね合わせて、推奨コースを周遊する際の、複数の目的地を順に巡るルートが、ユーザにより視認可能な状態に表示されている。ＱＲコードからなるデータ領域Ｄには、推奨コースのサービスＩＤやサーバ３のＵＲＬの情報等が格納されている。
【００３５】
図６（ｂ）に示す情報コードＱ２は、全体として四角形（正方形）の領域に対し、中央部に地図表示領域Ｍ２を有し、その周囲にフレーム状にデータ領域Ｄを有している。地図表示領域Ｍ２においては、地図に重ね合わせて、推奨コースを周遊する際の、複数の目的地の位置関係が、ユーザにより視認可能な状態に表示されている。これら情報コードＱ１，Ｑ２によっても、ユーザは、地図表示領域Ｍ１、Ｍ２を見ることによって、推奨コースに複数の目的地が存在すること、並びに、それら目的地を順に巡るルート、或いは複数の目的地の位置関係を容易に知ることができ、データ領域Ｄの読取りによって、どのような地域の推奨コース情報が得られるかを、容易に理解することができる。
【００３６】
次に、図７及び図８を参照しながら、本発明の第２の実施形態に係る情報取得システム２１について説明する。尚、上記第１の実施形態と同一部分については、同一符号を付して詳しい説明を省略し、以下、上記第１の実施形態と異なる点について述べる。
【００３７】
図７に示すように、この第２の実施形態に係る情報取得システム２１は、例えばスマートフォンからなる通信端末装置２、この通信端末装置２とインターネット等を介して通信接続可能なサーバ３を備えると共に、前記通信端末装置２と接続可能なナビゲーション装置２２を備えている。この場合、通信端末装置２には、上記第１の実施形態の構成に加えて、ナビゲーション装置２２との接続のための第２通信部２３が設けられている。この第２通信部２３としては、例えばＢｌｕｅｔｏｏｔｈ（登録商標）のような近距離無線通信が用いられる。
【００３８】
一方、前記ナビゲーション装置２２は、周知のように、例えば車両に搭載されるカーナビゲーション装置や、例えばスマートフォン等の携帯可能なナビゲーション端末からなる。詳しく図示はしないが、このナビゲーション装置２２は、前記通信端末装置２との通信を行う通信装置を備えると共に、位置情報入力装置、コンピュータ等の演算装置、地図データ記憶装置、表示装置等を備えている。そして、自機の現在位置を検出するロケーション機能や、指定された目的地までの最適なルートを算出して案内するするルート探索・案内機能を備えている。
【００３９】
本実施形態では、通信端末装置２には、サーバ３から推奨コース情報を取得すると、その推奨コースに含まれる複数の目的地の情報をナビゲーション装置２２に送信することができ、ナビゲーション装置２２において、各目的地を順に巡る最適なルートの探索及びルート案内を実行させることができる。図８のシーケンス図は、情報コードＱの読取りが行われた際の、通信端末装置２、サーバ３、ナビゲーション装置２２における、相互の通信を含む処理の手順を示しており、第１の実施形態（図４）とは次の点が異なる。
【００４０】
即ち、通信端末装置２においては、情報コードＱの読取り及びデコード（処理Ａ１、Ａ２）に基づき、サーバ３に対し、推奨コース情報の要求信号を送信する（通信Ｓ１）。サーバ３においては、データベース１３から、サービスＩＤに紐付けられた複数の目的地の地点情報が抽出され（処理Ｂ１）、推奨コース情報が、通信端末装置２に対し送信される（通信Ｓ２）。この場合、処理Ｂ２の最適なルートの計算の処理が省略される。通信端末装置２は、サーバ３から推奨コース情報を受信すると、表示装置８に推奨コース画面を表示させたり（処理Ａ３）、施設詳細情報をサーバ３から取得して表示装置８に表示させたりすることができる（処理Ａ４）。
【００４１】
そして、ユーザが、ナビゲーション装置２２に対し、目的地を設定してルートの探索及びルート案内を実行させたい場合には、通信端末装置２（ユーザインタフェース部６）を操作して、ナビゲーション装置２２に対する目的地の指定操作を行う（処理Ａ５）。すると、指定された目的地の情報がナビゲーション装置２２に送信され（通信Ｓ５）、ナビゲーション装置２２においては、指定された複数の目的地を順に通過するような経路探索を行い、経路案内を実行する（処理Ｃ１）。
【００４２】
このような第２の実施形態によっても、通信端末装置２のユーザが、複数の目的地を周遊するような場合に、最適なルートで巡ることができるような情報を容易に得ることが可能となる。このとき、情報コードＱの読取りを行う際に、ユーザは、情報コードＱの地図表示領域Ｍを見ることによって、読取りによってどのような地域の推奨コース情報が得られるかを、容易に認知することができる。そして、ナビゲーション装置２２において、複数の目的地を周遊する際のルート案内を容易に行うことが可能となる。
【００４３】
尚、上記実施形態では、情報コードＱのデータ領域Ｄを構成するコードとして、ＱＲコードを採用するようにしたが、ＱＲコード以外の二次元コードであっても良いし、一次元コード（バーコード）であっても良い。また、地図表示領域を円形や楕円形に設けるなど、データ領域及び地図表示領域の形状のパターンとしても様々な変形が可能である。情報コードが掲載される媒体としては、紙媒体に限らず、表示装置の画面であっても良い。
【００４４】
また、上記各実施形態では、通信端末装置２としてスマートフォンを例示したが、スマートフォンよりも表示部の表示面積が小さい簡易な携帯電話機やスマートフォンよりも表示部の表示面積が大きいタブレット端末、専用のコードリーダ等であっても良い。その他、表示装置８に表示される画面の構成や通信端末装置２のハードウエア構成などについても様々な変更が可能である等、本発明は、要旨を逸脱しない範囲内で適宜変更して実施し得るものである。
【符号の説明】
【００４５】
図面中、１、２１は情報取得システム、２は通信端末装置、３はサーバ、４はカメラ（読取手段）、５は制御部（情報取得手段）、８は表示装置（表示手段）、２２はナビゲーション装置、Ｑ、Ｑ１、Ｑ２は情報コード、Ｍ、Ｍ１，Ｍ２は地図表示領域、Ｄはデータ領域を示す。
【図１】
2018013840.tif 000003
【図２】
2018013840.tif 000004
【図３】
2018013840.tif 000005
【図４】
2018013840.tif 000006
【図５】
2018013840.tif 000007
【図６】
2018013840.tif 000008
【図７】
2018013840.tif 000009
【図８】
2018013840.tif 000010